(57)【特許請求の範囲】
【請求項１】
土留壁と底部とにより区画された地下ピットに、建物の地下躯体を設置してなる地下室構造において、
地下躯体に外壁材を取付け、該地下躯体の外壁材と土留壁との間にそれらの高さ方向全長に亘る空間部を設け、
土留壁と地下躯体の外壁材との間の空間部の下方の底部に排水部を設けてなることを特徴とする地下室構造。
【請求項２】
前記地下躯体が建物ユニットにて構成されてなる請求項１記載の地下室構造。
【請求項３】
前記地下ピットを環状に囲む土留壁の上端部に、該土留壁の倒れ込みを防止する倒れ込み防止部が設けられてなる請求項１又は２記載の地下室構造。
【請求項４】
前記土留壁が前記底部を設ける地中を掘削するときの矢板を兼ねる請求項１〜３のいずれかに記載の地下室構造。
【発明の詳細な説明】
【０００１】
【発明の属する技術分野】
本発明は地下室構造に関する。
【０００２】
【従来の技術】
一般に、地下は地上と比べて温度変化が少ないので夏は涼しく冬は暖かい。また、周囲は土で囲まれており遮音性が高く、音が漏れにくく、外からの音も入りにくいので静寂な空間となり得る。このような快適住空間として、一般住宅においても地下室が注目されている。
【０００３】
従来の地下室構造として、特公昭62-43013号公報、実公平7-2870号公報に記載の如く、コンクリート製土留壁と底部とにより区画された地下ピットに、建物の地下躯体を埋設するものがある。
【０００４】
尚、上述の実公平7-2870号公報では、地下ピットに埋設される地下躯体の内部に居住空間と、これに隣接するドライエリア部とを形成し、ドライエリア部を居室空間への採光空間、換気空間として利用するものを提案している。
【０００５】
【発明が解決しようとする課題】
然しながら、従来技術には、以下の如くの問題点がある。
▲１▼地下躯体が土留壁に接して構築されており、地下躯体の居室等の内部空間への地下水の浸入を阻止するため、土留壁に完全防水を施すことが必須である。即ち、土留壁は水の滲み出しが許されず、土留壁に作用する水圧も多大となるため、堅固な土留壁の施工と完全な防水工事が必要となり、地下室施工に多大な費用が必要となる。
【０００６】
▲２▼実公平7-2870号公報の如くに、地下躯体の内部にドライエリア部を設けるものにあっても、地下躯体自体は土留壁に接している。このため、地下躯体の内部への地下水の浸入による躯体劣化等を防止するため、土留壁に完全防水を施す必要は同じであり、上記▲１▼の問題点を回避することができない。
【０００７】
本発明の課題は、土留壁と底部とにより区画された地下ピットに、建物の地下躯体を設置するに際し、土留壁に完全防水を施す必要がなく、地下室の施工を簡易にすることにある。
【０００８】
【課題を解決するための手段】
請求項１に記載の本発明は、土留壁と底部とにより区画された地下ピットに、建物の地下躯体を設置してなる地下室構造において、地下躯体に外壁材を取付け、該地下躯体の外壁材と土留壁との間にそれらの高さ方向全長に亘る空間部を設け、土留壁と地下躯体の外壁材との間の空間部の下方の底部に排水部を設けてなるようにしたものである。
【０００９】
請求項２に記載の本発明は、請求項１に記載の本発明において更に、前記地下躯体が建物ユニットにて構成されてなるようにしたものである。
【００１０】
請求項３に記載の本発明は、請求項１又は２に記載の本発明において更に、前記地下ピットを環状に囲む土留壁の上端部に、該土留壁の倒れ込みを防止する倒れ込み防止部が設けられてなるようにしたものである。
【００１１】
請求項４に記載の本発明は、請求項１〜３のいずれかに記載の本発明において更に、前記土留壁が前記底部を設ける地中を掘削するときの矢板を兼ねるようにしたものである。
【００１２】
請求項１に記載の本発明によれば下記(1)の作用がある。
(1)地下躯体に外壁材を取付けること、地下躯体の外壁材と土留壁との間にそれらの高さ方向全長に亘る空間部を設けること、土留壁と地下躯体の外壁材との間の空間部の下方の底部に排水部を設けることの３点により、土留壁に完全防水を施さなくても、地下躯体の居室等の内部空間への地下水の浸入を防止できる。これにより、土留壁に多少の水の滲み出しを許容でき、土留壁に作用する水圧を減少できるため、土留壁の強度と防水性の簡易を図り、地下室施工の費用を軽減できる。
【００１３】
請求項２に記載の本発明によれば下記(2)の作用がある。
(2)地下躯体を建物ユニットとすることにより、予め工場生産にて外壁材が取付けられた建物ユニットを、施工現場の地下ピットに吊下げ配置することにて、地下室施工をより簡易にできる。
【００１４】
請求項３に記載の本発明によれば下記(3)の作用がある。
(3)地下ピットを環状に囲む土留壁の上端部に、該土留壁の倒れ込みを防止する倒れ込み防止部を設けた。従って、互いに対向する土留壁間に、倒れ込み防止のスラブや梁を架け渡すことなく地耐力を向上できる。これにより、地下室施工をより簡易にできる。また、地下ピットの上面を完全に開放でき、地下室の設計プランの自由度を高め、建物ユニットからなる地下躯体の地下ピットへの吊下げ配置を極めて簡易に行なえる。
【００１５】
請求項４に記載の本発明によれば下記(4)の作用がある。
(4)土留壁が地下ピットの底部を設ける地中を掘削するときの矢板を兼ねるので、矢板が不要となる。従って、地下ピットを設けるための地中掘削時の矢板を用いる山止め工事、地下ピット完成後の矢板の撤去及び土の埋め戻しが不要となり、現場の作業効率が良好となる。このように作業効率を向上させることで、地中掘削後に地下室の躯体の構築までにかかる時間を短縮することができるので、近隣建物などへの不同沈下の悪影響を回避することができる。
【００１６】
【発明の実施の形態】
図１は地下室付建物の構築状態の一例を示す模式図、図２は地下ピットの施工手順の一例を示す模式図、図３は土留壁の一例を示す模式図、図４は建物ユニットの一例を示す模式図、図５は地下躯体の土留壁への接続構造の一例を示す模式図、図６は接合プレートの一例を示す模式図、図７は地下ピットの施工手順の他の例を示す模式図である。
【００１７】
図１の建物は、地下室付多層階ユニット建物１０であり、ユニット建物１０は、工場生産された複数の建物ユニット１１を、施工現場に予め構築された地下ピット２０に設けた基礎１及び地盤表面に設けた基礎２の上で、上下左右に隣接設置したものである。
【００１８】
建物ユニット１１は、図４に示す如く、例えば箱型の骨組構造体であり、本実施形態では、４本の形鋼製床梁１２と、４本の角鋼管製柱１３と、４本の形鋼製天井梁１４を接合した骨組構造体である。そして、建物ユニット１１は、その骨組構造体に床面材、天井面材、壁面材、窓等を取付けて生産される。
【００１９】
地下ピット２０は土留壁２１と床版２２（底部）とにより区画形成さる。そして、建物ユニット１１である地下躯体１１Ａがこの地下ピット２０に設置される。
【００２０】
ここで、地下ピット２０は以下の如くに構築される。（図２）
(1) 地盤のうち、土留壁２１が位置することとなる地中部分２３Ａが掘削される（図２（Ａ））。
【００２１】
(2) 地中部分２３Ａに防水シート２４を敷き込む（図２（Ｂ））。この防水シート２４は、後述するコンクリート打設時に、その水分が地中に浸出するのを防止するとともに、掘削箇所（地中部分２３Ａ）の表面を保護する。
【００２２】
(3) 掘削箇所（地中部分２３Ａ）に、地上から鉄筋等の構造材２５を配設する（図２（Ｃ））。
【００２３】
(4) 構造材２５の姿勢を安定化させながら、コンクリート２６を掘削箇所（地中部分２３Ａ）に注入してコンクリートの打設を行なう（図２（Ｄ））。コンクリート２６及び構造材２５は、土留壁２１を構成し、上述の如くにより、掘削箇所（地中部分２３Ａ）に埋設されて据付けられる。
【００２４】
(5) コンクリート２６が完全に固化した後、土留壁２１に包囲された地中部分２３Ｂを掘削する（図２（Ｅ））。このとき、掘削底面２７を土留壁２１の下端部２１Ａより上方に設定する。これは、掘削によって形成された地中空間２８への土留壁２１の倒れ込みを、掘削底面２７より下方の土の支持により防止するためである。
【００２５】
(6) 地中空間２８の掘削底面２７に地下ピット２０の床版２２を設置する。床版２２は、地下躯体１１Ａのための前述した基礎１を備えるとともに、この地下躯体１１Ａのための基礎１と土留壁２１との間に排水路２２Ａ（排水部）を備える。床版２２は、工場生産されたＰＣ版であるが、現場打設のコンクリート或いは工場生産された軸組版であっても良い。
【００２６】
土留壁２１と床版２２は、図３に示す如くであり、地下ピット２０を環状に囲む土留壁２１の上端部には、各土留壁２１が互いに協働して地中空間２８への倒れ込みを阻止する倒れ込み防止部としての犬走り（バーム）２９を備える。犬走り２９は、構造的にはリブとして機能する。犬走り２９の上端面は地表面（ＧＬ）より上位に設定され、地中空間２８への土砂の落下を極力防止する。
【００２７】
尚、土留壁２１は、前述の地下ピット施工手順の(5) で床版２２を設置するための地中部分２３Ｂを掘削するときの矢板を兼ねる。
【００２８】
然るに、地下躯体１１Ａは地下ピット２０に以下の如く据付けられる（図１、図５、図６）。
(1)建物ユニット１１からなる地下躯体１１Ａに予め工場生産段階で外壁材３０が取付けられる。そして、この地下躯体１１Ａを地下ピット２０内に吊下げ、地下躯体１１Ａをスペース３１で示す、高さ方向全長に亘る空間部により土留壁２１と離して床版２２上の位置に配置する（図１）。
【００２９】
(2)地下躯体１１Ａが床版２２上の基礎１に設けたアンカーボルトに固定されたとき、土留壁２１と地下躯体１１Ａの外壁材３０との間のスペース３１の下方の床版２２に前述の排水溝２２Ａが位置するものとなる。
【００３０】
(3) 地下躯体１１Ａの上端部と土留壁２１の上端部とが接合プレート４０により接続される。接合プレート４０は、具体的には図５、図６に示す如く、(a) 地下躯体１１Ａの柱１３の上端面と上階建物ユニット１１Ｂの柱１３の下端面との間に挟まれ、地下躯体１１Ａの柱１３の上端面に突設されていて上階建物ユニット１１Ｂの柱１３の下端面のガイド孔４１Ｂに挿入されるガイドピン４１Ａに係入せしめられ、地下躯体１１Ａの上端部にその一端を接続されるとともに、(B) 土留壁２１の前述した犬走り（倒れ込み防止部）の上端面に植設されているアンカーボルト４２にその他端を接続される。
【００３１】
図６は、相隣なる２個の地下躯体１１Ａ、１１Ａを１枚の接合プレート４０により土留壁２１の上端部に接続した例である。
【００３２】
尚、ユニット建物１０にあっては、ユニット建物１０の地表相当部を土留壁２１に接続するものであれば良く、土留壁２１に接続される建物１０の地表相当部としては、地下躯体１１Ａの上端部回りの他、上階建物ユニット１１Ｂの下端部回りであっても良い。
【００３３】
図７は、上述した地下ピット２０の他の構築方法（ソイルミキシング法）を示すものである。図７では、(1) 土留壁２１が位置することとなる地中部分２３Ａを掘削しながら、その掘削土砂にソイルミキシングセメントを攪拌混合し、このソイルミキシングセメントの固化により土留壁２１を形成する（図７（Ａ））。このとき、土留壁２１の上端部は、倒れ込み防止部としての犬走り２９を備える。次に、(2) 土留壁２１に包囲された地中部分２３Ｂを掘削し、地中空間２８を形成する（図７（Ｂ））。最後に、(3) 地中空間２８の掘削底面２７に床版２２を設置し、地下ピット２０を形成する。
【００３４】
以下、本実施形態の作用について説明する。
(1)地下躯体１１Ａに外壁材３０を取付けること、地下躯体１１Ａの外壁材３０と土留壁２１との間にそれらの高さ方向全長に亘るスペース３１を設けること、土留壁２１と地下躯体１１Ａの外壁材３０との間のスペース３１の下方の底部に排水溝２２Ａを設けることの３点により、土留壁２１に完全防水を施さなくても、地下躯体１１Ａの居室等の内部空間への地下水の浸入を防止できる。これにより、土留壁２１に多少の水の滲み出しを許容でき、土留壁２１に作用する水圧を減少できるため、土留壁２１の強度と防水性の簡易を図り、地下室施工の費用を軽減できる。
【００３５】
(2)地下躯体１１Ａを建物ユニット１１とすることにより、予め工場生産にて外壁材３０が取付けられた建物ユニット１１を、施工現場の地下ピット２０に吊下げ配置することにて、地下室施工をより簡易にできる。
【００３６】
(3)地下ピット２０を環状に囲む土留壁２１の上端部に、該土留壁２１の倒れ込みを防止する犬走り２９（倒れ込み防止部）を設けた。従って、互いに対向する土留壁２１間に、倒れ込み防止のスラブや梁を架け渡すことなく地耐力を向上できる。これにより、地下室施工をより簡易にできる。また、地下ピット２０の上面を完全に開放でき、地下室の設計プランの自由度を高め、建物ユニット１１からなる地下躯体１１Ａの地下ピット２０への吊下げ配置を極めて簡易に行なえる。
【００３７】
(4)土留壁２１が地下ピット２０の底部を設ける地中を掘削するときの矢板を兼ねるので、矢板が不要となる。従って、地下ピット２０を設けるための地中掘削時の矢板を用いる山止め工事、地下ピット２０完成後の矢板の撤去及び土の埋め戻しが不要となり、現場の作業効率が良好となる。このように作業効率を向上させることで、地中掘削後に地下室の躯体の構築までにかかる時間を短縮することができるので、近隣建物などへの不同沈下の悪影響を回避することができる。
【００３８】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の地下室構造は、ユニット建物に限らず、広く一般の建物に適用できる。
【００３９】
また、本発明の地下室構造にあっては、地下ピットの底部に設けた排水部に集まる水を外部に排出する地下浸透排水手段、ポンプ等の強制排出手段を合わせ設けることができる。
【００４０】
【発明の効果】
以上のように本発明によれば、土留壁と底部とにより区画された地下ピットに、建物の地下躯体を設置するに際し、土留壁に完全防水を施す必要がなく、地下室の施工を簡易にすることができる。
【図面の簡単な説明】
【図１】図１は地下室付建物の構築状態の一例を示す模式図である。
【図２】図２は地下ピットの施工手順の一例を示す模式図である。
【図３】図３は土留壁の一例を示す模式図である。
【図４】図４は建物ユニットの一例を示す模式図である。
【図５】図５は地下躯体の土留壁への接続構造の一例を示す模式図である。
【図６】図６は接合プレートの一例を示す模式図である。
【図７】図７は地下ピットの施工手順の他の例を示す模式図である。
【符号の説明】
１０  ユニット建物（建物）
１１Ａ  地下躯体
２０  地下ピット
２１  土留壁
２２  床版（底部）
２２Ａ  排水溝（排水部）
２９  犬走り（倒れ込み防止部）
３０  外壁材
【図１】
0003673333.tif 000002
【図２】
0003673333.tif 000003
【図３】
0003673333.tif 000004
【図４】
0003673333.tif 000005
【図５】
0003673333.tif 000006
【図６】
0003673333.tif 000007
【図７】
0003673333.tif 000008